(57)【要約】      （修正有）【課題】アイボルト又は、アイナット等のリング状の構造の荷吊り又は、緊張用部材に、リング状のシンブルを連結させたことで、ワイヤー又は、ロープ等の荷吊り又は、緊張時における曲率半径を大きくとることを実現する。【解決手段】アイボルト１にリング状のシンブル３を連結させることにより、ワイヤー４を直接アイボルト１にリングシンブル６でガイドしながら貫通させ、長さ調整後にワイヤークリップ５で個縛することにより、シャックル２を介した従来の連結構成と同等な機能を、シャックル無しで構築することを可能とした。【選択図】図２
2012001350.tif 000002
【特許請求の範囲】
【請求項１】
アイボルト又は、アイナット等に代表される破断部の無いリング状の荷吊り、緊張又は、支持用部材において、当該リング状構造部分にリング状のシンブルを連結させたことを特徴とする荷吊り、緊張又は、支持用部材。
【請求項２】
アイボルト又は、アイナット等に代表される破断部の無いリング状の荷吊り、緊張又は、支持用部材において、当該リング状構造部分に破断部分のないシンブルを連結させたことを特徴とする荷吊り、緊張又は、支持用部材。
【請求項３】
アイボルト又は、アイナット等に代表されるワイヤー、ロープ又は、ケーブル当の貫通部周辺が破断部の無い構造の荷吊り、緊張又は、支持用部材において、当該貫通構造部分に破断部分のないシンブルを連結させたことを特徴とする荷吊り、緊張又は、支持用部材。
【発明の詳細な説明】
【技術分野】
【０００１】
本発明は、ワイヤー又は、ロープ類を使用した荷吊り部材、緊張部材または、ケーブル等の支持部材に関する。
【背景技術】
【０００２】
従来は、ワイヤー又は、ロープ等により荷吊り又は、緊張する場合において、吊り荷対象又は、緊張対象に対するワイヤー又は、ロープ等の取り付けには、アイボルト、シンブル及び、シャックル等がそれぞれ個別の機能を有した部材として使用され、それぞれ直線状に個別に組み合わせ締結することにより使用されていた。図１に通常の組み合わせによる使用形態を示す。
【先行技術文献】
【特許文献】
【０００３】
【特許文献１】特開２０００−３１８９６７号  公報
【発明の概要】
【発明が解決しようとする課題】
【０００４】
ワイヤー又は、ロープ等を直接アイボルト又は、アイナットに通すことで荷吊り又は、緊張した場合、ワイヤー又は、ロープ等の曲率半径が小さくなり、変形、傷付き及び、磨耗等により寿命が短かくなるだけでなく、突然のワイヤー破断等の危険性を有しているという欠点があった。
【０００５】
また、ワイヤー又は、ロープ等の曲率半径を大きくし、変形、傷付き及び、磨耗等を防止する方法として、図１に示すとおり５ワイヤー又は、ロープ等に３シンブルを取付け５ワイヤークリップにより固定し、１アイボルト又は、アイナットとの間に２シャックル等を介してそれぞれを連結しなければならないという欠点があった。
【課題を解決するための手段】
【０００６】
本発明は、アイボルト又は、アイナット等のリング状の構造の荷吊り又は、緊張用部材に、リング状のシンブルを連結させたことを特徴とする部材である。
【発明の効果】
【０００７】
代表的な事例として、図２により説明する。１アイボルトにリング状の３シンブルを連結させることにより、４ワイヤーを直接アイボルトに６リングシンブルでガイドしながら貫通させ、長さ調整後に５ワイヤークリップで個縛することにより、図１で示した従来の構成と同等な機能を、２シャックル無しで構築することを可能とした。
【０００８】
図３では、１アイボルトに直接４ワイヤーを貫通させ４ワイヤー両端の３シンブルで荷吊り又は、緊張する場合を示している。ここでも、６リングシンブルでガイドしながら４ワイヤーを貫通させることで、６リングシンブルは４ワイヤー貫通時の滑車の役割を担うと同時に、荷吊り又は、緊張時においては４ワイヤーの曲率半径を６リングシンブルの半径で確保することが可能となり、１アイボルト単独使用に比較し、変形、傷付き及び、磨耗等を回避することが可能となり寿命を延長することができた。
【図面の簡単な説明】
【０００９】
【図１】図１は従来からの連結方法である。
【図２】図２はリング状のシンブルを使用した連結方法である。
【図３】図３はリング状のシンブルを使用したワイヤー貫通方法である。
【発明を実施するための形態】
【００１０】
アイボルト又は、アイナット等のリング状の構造の荷吊り又は、緊張用部材に、リング状のシンブルを連結させたことにより、ワイヤー又は、ロープ等の荷吊り又は、緊張時における曲率半径を大きくとることを実現し変形、傷付き及び、磨耗等を回避した。
【実施例】
【００１１】
図１は既存の部材を使用した一般的な構成であり、４ワイヤー又は、ロープ等により荷吊り又は、緊張する場合において、吊り荷対象又は、緊張対象に対する４ワイヤー又は、ロープ等の取り付けには、１アイボルト、３シンブル及び、２シャックル等がそれぞれ個別の機能を有した部材として使用され、それぞれ直線状に個別に組み合わせ締結することで機能を発揮する。
【００１２】
図２および、図３は、本発明の実施例の一例であって、図１における２シャックルと３シンブルを、６リングシンブルに置き換えることにより、今回発明した構造にしたものである。
【産業上の利用可能性】
【００１３】
アイボルト又は、アイナット等のリング状の構造の荷吊り又は、緊張用部材に、リング状のシンブルを連結させたことにより、ワイヤー又は、ロープ等の荷吊り又は、緊張時における曲率半径を大きくとることを実現し変形、傷付き及び、磨耗等を回避することで寿命を延長することができ、突然のワイヤー破断等の危険性を低減することが可能となった。
【符号の説明】
【００１４】
１  アイボルト
２  シャックル
３  シンブル
４  ワイヤー
５  ワイヤークリップ
６  リングシンブル
【図１】
2012001350.tif 000003
【図２】
2012001350.tif 000004
【図３】
2012001350.tif 000005
【手続補正書】
【提出日】平成22年7月12日(2010.7.12)
【手続補正２】
【補正対象書類名】明細書
【補正対象項目名】０００５
【補正方法】変更
【補正の内容】
【０００５】
また、ワイヤー又は、ロープ等の曲率半径を大きくし、変形、傷付き及び、磨耗等を防止する方法として、図１に示すとおり５ワイヤー又は、ロープ等に３シンブルを取付け５ワイヤークリップにより固定し、１アイボルト又は、アイナットとの間に２シャックル等を介してそれぞれを連結しなければならず、構成部品が多数必要であるという欠点があった。
【手続補正３】
【補正対象書類名】明細書
【補正対象項目名】０００６
【補正方法】変更
【補正の内容】
【０００６】
本発明は、アイボルト又は、アイナット等のリング状の構造の荷吊り又は、緊張用部材に、リング状のシンブル（以下リングシンブルと称す）を連結させたことで、シャックル等を使用することなくワイヤー又は、ロープ等の曲率半径を大きくし、変形、傷付き及び、磨耗等を防止すること可能としたことを特徴とする荷吊り、緊張又は、支持部材である。
【手続補正４】
【補正対象書類名】明細書
【補正対象項目名】０００７
【補正方法】変更
【補正の内容】
【０００７】
代表的な事例として、図２により説明する。１アイボルトにリング状の６リングシンブルを連結させることにより、４ワイヤーを直接アイボルトに６リングシンブルでガイドしながら貫通させ、長さ調整後に５ワイヤークリップで個縛することにより、図１で示した従来の構成と同等な機能を、２シャックル無しで構築することを可能とした。
【手続補正５】
【補正対象書類名】特許請求の範囲
【補正対象項目名】請求項３
【補正方法】変更
【補正の内容】
【請求項３】
アイボルト又は、アイナット等に代表されるワイヤー、ロープ又は、ケーブル等の貫通部周辺が破断部の無い構造の荷吊り、緊張又は、支持用部材において、当該貫通構造部分に破断部分のないシンブルを連結させたことを特徴とする荷吊り、緊張又は、支持用部材。
【手続補正７】
【補正対象書類名】図面
【補正対象項目名】図１
【補正方法】変更
【補正の内容】
【図１】
2012001350.tif 000006
【手続補正８】
【補正対象書類名】図面
【補正対象項目名】図２
【補正方法】変更
【補正の内容】
【図２】
2012001350.tif 000007
【手続補正９】
【補正対象書類名】図面
【補正対象項目名】図３
【補正方法】変更
【補正の内容】
【図３】
2012001350.tif 000008